(57)【要約】【課題】ボイラー室を備えてコンパクトに構成するとともに修理時でも容易にボイラー室を取り外すことのできる焼却炉を提供すること。【解決手段】焼却炉１は、燃焼炉本体２とボイラー室２０とを備える。燃焼炉本体２には邪魔板７を配置して、邪魔板７の下方に一次燃焼室８、上方に二次燃焼室９を形成する。燃焼炉本体２の上方に複数本に分割する煙道２１を立設して煙道２１の周りに外壁２２を配置することによってボイラー室２０を構成する。ボイラー室２０は燃焼炉本体２に対して着脱可能に取り付けるとともに、ボイラー室２０には、煙道２１と外壁２２との間に熱交換室２３を設け、一方にタンク２４からの水を流入する給水コック２５、他方に貯留タンク２６に温水を流出する給湯コック２７を装着して循環させる。【選択図】図１
0003127566.tif 000002
【実用新案登録請求の範囲】
【請求項１】
ボイラーを備えた焼却炉であって、
被燃焼物を燃焼する燃焼炉本体の上部には煙道入口が形成され、前記煙道入口から上方に向かって煙道が延設されるとともに、前記煙道の周りに外壁が配設されて前記外壁と前記煙道の間に、一方に配置された流入口と他方に配置された流出口とを備える熱交換室が配設され、
前記熱交換室に水を循環することによってボイラー室が形成されていることを特徴とする焼却炉。
【請求項２】
前記煙道は複数本に分割して並設されていることを特徴とする請求項１記載の焼却炉。
【請求項３】
前記焼却炉本体には、隔壁板を間にして下方に一次燃焼室、上方に二次燃焼室が形成されていることを特徴とする請求項１又は２記載の焼却炉。
【請求項４】
前記二次燃焼室には、バーナーが設置され、前記バーナーが前記二次燃焼室の加熱を行うとともに前記一次燃焼室内の被燃焼物の着火を行うように配置されていることを特徴とする請求項３記載の焼却炉。
【考案の詳細な説明】
【技術分野】
【０００１】
本考案は、ボイラーを備えた焼却炉に関する。
【背景技術】
【０００２】
従来、焼却炉の廃熱を利用して温水を得るボイラー付焼却炉は、実際に実用化されて商品化されており、また、特許文献１にも開示されている。特許文献１は、焼却炉から発生する廃熱を高効率で熱回収できるように構成されたものであり、この焼却炉の熱回収装置によれば、焼却炉から発生した燃焼排ガスは濾過槽に投入される。外壁と内壁間に水を循環することによって熱交換可能に構成されている。濾過槽に投入された燃焼排ガスは濾過部で飛灰及び炭化水素を除去されるとともに、排ガスの熱がボイラー熱に熱交換される。そして熱交換された燃焼排ガスは、ブロアを通って煙突から吐き出される。このように、飛灰及び炭化水素を除去した燃焼排ガスとボイラーの水と熱交換することによって、高効率で燃焼炉の廃熱を回収することができる。
【０００３】
また、別の焼却炉では、焼却炉の炉体を二重構造の水ジャケットとして構成されたものがある。つまり、炉自体を水ジャケットで保護するため築炉を不要としている。そのため、耐火煉瓦等の交換がなく維持費を安くすることができる。
【特許文献１】特開２００１−３３６７２３公報
【考案の開示】
【考案が解決しようとする課題】
【０００４】
しかし、従来のボイラーを備えた焼却炉では、前者の場合、焼却炉から発生する燃焼排ガスは濾過槽を通り、ブロアを介して煙突から吐き出されるため、設備を大型化して設置面積も大きくなり、また、設備費用も高くなるため、スペースの狭い工場等では容易に使用することができなかった。
【０００５】
また、後者の場合、腐蝕等で水ジャケットから水漏れすると炉自体を修理することとなり、修理が大掛かりとなることによって修理にかかる時間も長期間を有することとなっていた。また、炉自体の修理によって焼却炉そのものが使用できなくなるため、焼却するゴミ等の管理にも課題を生じていた。
【課題を解決するための手段】
【０００６】
本考案は、上述の課題を解決するものであり、コンパクトに構成して使いやすく構成するとともに、ボイラーの修理を行う場合でも容易にボイラーを交換することができる焼却炉を提供することを目的とするものである。そのために、本考案に係る焼却炉は、以下のように構成するものである。すなわち、
請求項１記載の考案では、ボイラーを備えた焼却炉であって、被燃焼物を燃焼する燃焼炉本体の上部には煙道入口が形成され、前記煙道入口から上方に向かって煙道が延設されるとともに、前記煙道の周りに外壁が配設されて前記外壁と前記煙道の間に、一方に配置された流入口と他方に配置された流出口とを備える熱交換室が配設され、前記熱交換室に水を循環することによってボイラー室が形成されていることを特徴とするものである。
【０００７】
請求項２記載の考案では、前記煙道は複数本に分割して並設されていることを特徴としている。
【０００８】
請求項３記載の考案では、前記焼却炉本体には、隔壁板を間にして下方に一次燃焼室、上方に二次燃焼室が形成されていることを特徴としている。
【０００９】
請求項４記載の考案では、前記二次燃焼室には、バーナーが設置され、前記バーナーが前記二次燃焼室の加熱を行うとともに前記一次燃焼室内の被燃焼物の着火を行うように配置されていることを特徴としている。
【考案の効果】
【００１０】
本考案に係る焼却炉では、焼却炉本体内において高温で焼却される被燃焼物から発生する煙やガスは、無煙無臭となって煙道から大気に向かって排出される。この際、煙道の周りには熱交換室が形成されていてボイラー室を形成している。ボイラー室から熱交換された温水は流出口から回収されて、有効利用することができる。しかも、煙道と一体的になったボイラー室は、焼却炉本体から容易に取り外すことができるために、例えば、修理を行う際に簡便に行うことができる。さらに、焼却炉の直上に配置される煙道の回りにボイラー室を設置していることから、このボイラー室を備えた焼却炉は、焼却炉本体の底面積のスペースで設置場所に設置できることから床面積を小さくしてコンパクトに構成できる。そのため、狭い場所でも有効に使用することができる。
【００１１】
また、この焼却炉では、煙道を分割して設置していることから熱交換室に流入する水は、複数の煙道に接触することができて熱交換率を向上し温水を効率よく回収することができる。
【００１２】
さらに、この焼却炉では、コンパクトに構成するために、焼却炉本体内には、上下を区分けする邪魔板を配置して、邪魔板の下方で一次燃焼室を形成し邪魔板の上方で二次燃焼室を形成している。そして二次燃焼室をバーナーで加熱することによって、コンパクトな焼却炉ではバーナーの火焔が一次燃焼室に伝達して一次燃焼室内の被燃焼物の着火を行うことができる。
【考案を実施するための最良の形態】
【００１３】
次に上記のように構成された焼却炉の一形態を図面に基づいて説明する。
【００１４】
図１〜２に示すように、焼却炉１は、燃焼炉本体２と、燃焼炉本体２の上部に配置されたボイラー室２０とを備えている。実施形態で使用する燃焼炉本体２は、周壁３と、底壁４と、天井壁５と有して内部を中空にした円筒状に形成されている。底壁４の下方にはエアタンク６が形成されている。燃焼炉本体２の内部は、焼却炉として必要な図示しないロストル等が収納されていて被燃焼物を収納可能に形成されている。
【００１５】
燃焼炉本体２内の上部には隔壁板としての邪魔板７が配置され、邪魔板７の下方に一次燃焼室８、邪魔板７の上方に二次燃焼室９を形成している。なお邪魔板７は天井壁５から垂下された複数本のステー７１により支持されている。
【００１６】
燃焼炉本体２の下部外側付近に送風機１４が配置されている。送風機１４は、エアタンク６に空気を送るように接続されている。図３に示すように、周壁３の外面には縦方向に沿って複数本の突条部１０が形成され、突条部１０内にエアタンク６に接続する通気路１１が形成されている。周壁３における一次燃焼室８側に一次側空気流入口３１が形成されて通気路１１と接続され、二次燃焼室９側に二次側空気流入口３２が形成されて通気路１１と接続されている。一次燃焼室８側に形成された一次側空気流入口３１には一次側ノズル１２が配管され、二次燃焼室９側に形成された二次側空気流入口３２には二次側ノズル１３が配管されている。なお、二次側ノズル１３は二次燃焼室９内における周壁３の円周方向に沿って向けられていて、二次燃焼室９内に旋回流を発生させている。それによって、排ガスを暫時停留させて消煙効果を高めている。
【００１７】
また、燃焼炉本体２の上部には二次燃焼室９を加熱するためのバーナー１５が配置され、二次燃焼室９内の周壁３にバーナー１５の吹き込み口３３が形成されている。さらに天井壁５には後述の煙道２１に通じる煙道入口１６が形成されている。
【００１８】
一方、燃焼炉本体２の上方にはボイラー室２０が燃焼炉本体２に対して着脱可能に配置されている。ボイラー室２０は、図１及び図４に示すように、天井壁５から上方に向かって延設される煙道２１と、煙道２１の周りを囲う外壁２２とを備えている。外壁２２と煙道２１との間は水が循環する熱交換室２３として形成されている。外壁２２の一方には、タンク２４から流れてきた水をボイラー室２０内に流入する給水コック２５が装着され、他方には、ボイラー室２０内で加熱された温水を貯留タンク２６に流出する給湯コック２７が装着されている。ボイラー室２０内は水が循環するために、水漏れを防止するための図示しないシール部が必要範囲内で装着されている。
【００１９】
煙道２１は所定の断面積を有していれば、その本数に限定されることはない。実施形態の煙道２１は、７本に分割している。中央部に１本とその回りに６等分されて配置されている。これによってボイラー室２０内を循環する水は、複数の煙道２１の間に形成されている熱交換室２３内を流れて複数の煙道２１の外周面と接触することから、熱交換を効率よく行うことができる。
【００２０】
次に、上記のように構成された焼却炉１の作用について説明する。
【００２１】
まず、焼却準備として燃焼炉本体２内の焼却灰を清掃するとともに、ボイラー室２０内に給水を行う。この状態で一次燃焼室８に被燃焼物を投入する。ボイラー室２０では給水コック２５を開けて熱交換室２３内に水を給水する。水が熱交換室２３に充満されると一旦給水コック２５を閉じる。
【００２２】
次に、バーナー１５を作動して二次燃焼室９を加熱する。実施形態の焼却炉１では一次燃焼室８と二次燃焼室９とは邪魔板７を間にして形成されているから、バーナー１５の火焔は、二次燃焼室９を加熱するとともに周壁３に沿って一次燃焼室８に伝達されて一次燃焼室８を加熱することとなる。被燃焼物が投入されている一次燃焼室８では、この加熱によって被燃焼物が着火されて燃焼される。
【００２３】
そして着火が確認されると、一次燃焼室８と二次燃焼室９内に送風機１４から空気を導入する。一次燃焼室８に空気が導入されることによって、被燃焼物は一次燃焼して灰と排気ガスを発生させる。灰の一部は上昇して邪魔板７に当たって底壁４上に落下し、その他の灰はそのまま底壁４に残る。排気ガスは上昇し邪魔板７に当たると旋回して邪魔板７と周壁３との間を通って二次燃焼室９に流入する。二次燃焼室９では、バーナー１５で加熱されているとともに、二次側ノズル１３から吐出される空気によって、二次燃焼室９内の温度は高温（８００°以上）に達している。
【００２４】
二次燃焼室９内に流入した排気ガスは、高温内で二次燃焼されて無煙無臭となって二次燃焼室９内を上昇する。邪魔板７は天井壁５から複数本のステー７１で支持されていることから、二次燃焼室９内の排気ガスは煙道入口１６に達し、煙道入口１６から煙道２１に流入する。
【００２５】
煙道２１は、複数本に分割されていることから無煙無臭となった排気ガスはそれぞれの煙道２１内に流入して大気に排出される。燃焼された排気ガスが煙道２１内を通ることによって煙道２１の周壁が加熱される。なお、ボイラー室２０内の水温は、図示しない制御ボックス内に収納されているボイラー水温計によって測定され、所定の温度に達したら給水コック２５及び給湯コック２７を開けて水を循環させる。熱交換室２３ではすでにタンク２４から流入した水が充満されて加熱されていることから、熱交換された温水は貯溜タンク２６に向かって流れ、タンク２４からの新たな水がボイラー室２０内に流れてくる。そして、熱交換されて貯留タンク２６に向かって流れる。
【００２６】
なお、燃焼炉本体２内において、煙が発生している間はバーナー１５を作動させて消煙させ、煙が消えるとバーナー１５の作動を停止させる。
【００２７】
上述のように、実施形態の焼却炉１では、燃焼炉本体２の上方に配置された煙道２１の周りでボイラー室２０を構成することから、ボイラー室２０を備えた焼却炉１を燃焼炉本体２の底面積の範囲で設置できるから、狭い場所でも使用することができる。また、煙道２１を利用してボイラー室２０を構成できることから複雑な構成をすることなくコンパクトに構成できる。
【００２８】
この際、煙道２１を分割して配置することによって、循環される水は複数の煙道２１の周壁に接することができるので、熱交換率を高くすることができる。さらに、この焼却炉１では、燃焼炉本体２内において、邪魔板７を挟んで上下に一次燃焼室（下側）８と二次燃焼室（上側）９とに分割している。そして、一次燃焼室８で一次燃焼された被燃焼物は排気ガスや煙を発生させ、その排気ガスや煙は二次燃焼室で二次燃焼される。これによって、排気ガスや煙は無煙無臭となって煙道２１から大気に排出されることとなる。
【００２９】
さらに、この二次燃焼室９を加熱できるようにバーナー１５を設置すれば、バーナー１５の火焔で一次燃焼室に投入されている被燃焼物を着火することができる。つまり、一次燃焼室８と二次燃焼室９は燃焼炉本体２内で邪魔板７を間にして形成されているため、二次燃焼室９を加熱するバーナー１５の火焔が周壁３に沿って一次燃焼室８を加熱することができる。
【００３０】
また、一次燃焼室８一次側ノズル１２から吐出する空気によって、被燃焼物を充分に燃焼させるとともに、二次燃焼室９では一次燃焼室８で発生した煙や排気ガスを二次燃焼することができる。
【００３１】
なお、本考案の焼却炉は上記形態に限定するものではない。例えば、図５〜６に示すように、燃焼炉本体２に着脱可能に配置されるボイラー室２０Ａ内に配置させる煙道２１Ａを１本で形成することができる。この場合、煙道２１Ａの周りに外壁２２Ａを配置し、煙道２１Ａと外壁２２Ａとの間に熱交換室２３Ａを形成する。循環される水は、給水コック２５Ａからボイラー室２０Ａの熱交換室２３Ａに流入して煙道２１Ａで熱交換された後、給湯コック２７Ａから流出されることとなる。
【００３２】
なお、煙道２１Ａの断面積は、図４における７本の煙道２１の合計された断面積と略同一に形成される。
【図面の簡単な説明】
【００３３】
【図１】本考案の一形態による焼却炉を示す断面図である。
【図２】図１における平面図である。
【図３】図１の焼却炉における燃焼炉本体の通気路を示す一部断面図である。
【図４】図１の焼却炉におけるボイラー室を示す平面図である。
【図５】別の形態のボイラー室を示す断面図である。
【図６】同平面図である。
【符号の説明】
【００３４】
１、焼却炉
２、燃焼炉本体
３、周壁
７、邪魔板
８、一次燃焼室
９、二次燃焼室
１２、一次側ノズル
１３、二次側ノズル
１５、バーナー
２０、ボイラー室
２１、煙道
２２、外壁
２３、熱交換室
２５、給水コック
２７、給湯コック                                                                                
【図１】
0003127566.tif 000003
【図２】
0003127566.tif 000004
【図３】
0003127566.tif 000005
【図４】
0003127566.tif 000006
【図５】
0003127566.tif 000007
【図６】
0003127566.tif 000008